(57)【要約】【課題】ＤＲＳを用いてスモールセルを検出する無線通信システムにおいて、ユーザ端末の消費電力増加を抑制すること。【解決手段】本発明の一態様に係るユーザ端末は、セルを形成する無線基地局と通信可能なユーザ端末であって、複数のセルからそれぞれ送信される検出測定信号を受信する受信部と、受信した検出測定信号に含まれる同期信号を選択する制御部と、選択した同期信号に基づいて、受信した検出測定信号に含まれるチャネル状態測定信号を測定する受信処理部と、を有することを特徴とする。【選択図】図４
2016039524.tif 000002
【特許請求の範囲】
【請求項１】
セルを形成する無線基地局と通信可能なユーザ端末であって、
複数のセルからそれぞれ送信される検出測定信号を受信する受信部と、
受信した検出測定信号に含まれる同期信号を選択する制御部と、
選択した同期信号に基づいて、受信した検出測定信号に含まれるチャネル状態測定信号を測定する受信処理部と、を有することを特徴とするユーザ端末。
【請求項２】
前記制御部は、受信した検出測定信号に含まれる最も強い同期信号を選択することを特徴とする請求項１に記載のユーザ端末。
【請求項３】
前記受信部は、同期信号に関する第１の識別子を含む情報を受信し、
前記制御部は、前記第１の識別子に対応する同期信号を選択することを特徴とする請求項１に記載のユーザ端末。
【請求項４】
前記受信部は、同期信号に関する第１の識別子と、特定のチャネル状態測定信号を示す第２の識別子と、の組を含む情報を受信し、
前記制御部は、前記第２の識別子に対応するチャネル状態測定信号の測定タイミングの基準として、前記第１の識別子に対応する同期信号を選択することを特徴とする請求項１に記載のユーザ端末。
【請求項５】
前記第２の識別子は、ＣＳＩ−ＲＳ  ｃｏｎｆｉｇｕｒａｔｉｏｎ  ＩＤであることを特徴とする請求項４に記載のユーザ端末。
【請求項６】
前記制御部は、前記受信部が前記情報を受信しない場合に、受信した検出測定信号に含まれる同期信号の任意の１つを選択することを特徴とする請求項３から請求項５のいずれかに記載のユーザ端末。
【請求項７】
前記第１の識別子は、物理セルＩＤであることを特徴とする請求項３から請求項６のいずれかに記載のユーザ端末。
【請求項８】
ユーザ端末と通信する無線基地局であって、
所定のセルの検出測定信号に含まれるチャネル状態測定信号の測定タイミングの基準として利用可能な同期信号に関する情報を送信する送信部と、
前記チャネル状態測定信号の測定結果を受信する受信部と、を有することを特徴とする無線基地局。
【請求項９】
セルを形成する無線基地局と通信可能なユーザ端末における無線通信方法であって、
複数のセルからそれぞれ送信される検出測定信号を受信する工程と、
受信した検出測定信号に含まれる同期信号を選択する工程と、
選択した同期信号に基づいて、受信した検出測定信号に含まれるチャネル状態測定信号を測定する工程と、を有することを特徴とする無線通信方法。
【請求項１０】
セルを形成する無線基地局と、当該無線基地局と通信可能なユーザ端末と、を含む無線通信システムであって、
前記ユーザ端末は、複数のセルからそれぞれ送信される検出測定信号を受信する受信部と、
受信した検出測定信号に含まれる同期信号を選択する制御部と、
選択した同期信号に基づいて、受信した検出測定信号に含まれるチャネル状態測定信号を測定する受信処理部と、を有することを特徴とする無線通信システム。
【発明の詳細な説明】
【技術分野】
【０００１】
本発明は、次世代の通信システムに適用可能なユーザ端末、無線基地局、無線通信方法及び無線通信システムに関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。ＬＴＥではマルチアクセス方式として、下り回線（下りリンク）にＯＦＤＭＡ（Orthogonal  Frequency  Division  Multiple  Access）をベースとした方式を用い、上り回線（上りリンク）にＳＣ−ＦＤＭＡ（Single  Carrier  Frequency  Division  Multiple  Access）をベースとした方式を用いている。また、ＬＴＥからのさらなる広帯域化及び高速化を目的として、ＬＴＥの後継システム（例えば、ＬＴＥアドバンスト又はＬＴＥエンハンスメントと呼ぶこともある（以下、「ＬＴＥ−Ａ」という））も検討され、仕様化されている（Ｒｅｌ．  １０／１１）。
【０００３】
ＬＴＥ−Ａシステムでは、半径数キロメートル程度の広範囲のカバレッジエリアを有するマクロセル内に、半径数十メートル程度の局所的なカバレッジエリアを有するスモールセル（例えば、ピコセル、フェムトセルなど）が形成されるＨｅｔＮｅｔ（Heterogeneous  Network）が検討されている。また、ＨｅｔＮｅｔでは、マクロセルとスモールセルとの間で同一周波数帯だけでなく、異なる周波数帯のキャリアを用いることも検討されている。
【０００４】
さらに、将来の無線通信システム（Ｒｅｌ．  １２以降）では、スモールセル検出（small  cell  discovery）に係る新たなメカニズムの導入が検討されている。具体的には、ユーザ端末は、スモールセルにより送信される検出測定信号を検出し、同期、測定などを実施する。なお、当該検出測定信号は、ディスカバリ参照信号（ＤＲＳ：Discovery  Reference  Signal）と呼ばれてもよい。ＤＲＳにチャネル状態測定信号（例えば、ＣＳＩ−ＲＳ（Channel  State  Information  Reference  Signal））が含まれる場合、ユーザ端末は同期タイミングに基づいて当該チャネル状態測定信号を検出し、測定を行う。
【先行技術文献】
【非特許文献】
【０００５】
【非特許文献１】3GPP  TS  36.300  “Evolved  Universal  Terrestrial  Radio  Access  (E-UTRA)  and  Evolved  Universal  Terrestrial  Radio  Access  Network  (E-UTRAN);  Overall  description;  Stage  2”
【発明の概要】
【発明が解決しようとする課題】
【０００６】
しかしながら、複数のスモールセルからのＤＲＳを受信したユーザ端末は、複数の同期タイミングを検出する場合がある。この場合、検出した全てのタイミングについてＣＳＩ−ＲＳ検出を試行すると、ユーザ端末の負荷が大きくなってしまい、ユーザ端末のバッテリー消費が大きくなるおそれがある。
【０００７】
本発明は、かかる点に鑑みてなされたものであり、ＤＲＳを用いてセルを検出する無線通信システムにおいて、ユーザ端末の消費電力増加を抑制することができるユーザ端末、無線基地局、無線通信方法及び無線通信システムを提供することを目的の１つとする。
【課題を解決するための手段】
【０００８】
本発明の一態様に係るユーザ端末は、セルを形成する無線基地局と通信可能なユーザ端末であって、複数のセルからそれぞれ送信される検出測定信号を受信する受信部と、受信した検出測定信号に含まれる同期信号を選択する制御部と、選択した同期信号に基づいて、受信した検出測定信号に含まれるチャネル状態測定信号を測定する受信処理部と、を有することを特徴とする。
【発明の効果】
【０００９】
本発明によれば、ＤＲＳを用いてスモールセルを検出する無線通信システムにおいて、ユーザ端末の消費電力増加を抑制することが可能となる。
【図面の簡単な説明】
【００１０】
【図１】ＨｅｔＮｅｔの概念説明図である。
【図２】ＤＲＳの信号構成の説明図である。
【図３】直交するＣＳＩ−ＲＳリソース割り当ての一例を示す図である。
【図４】第２の実施形態に係る同期セットの一例を示す図である。
【図５】シナリオ＃２の一例を示す図である。
【図６】シナリオ＃３の一例を示す図である。
【図７】本発明の一実施形態に係る無線通信システムの概略構成の一例を示す図である。
【図８】本発明の一実施形態に係る無線基地局の全体構成の一例を示す図である。
【図９】本発明の一実施形態に係る無線基地局の機能構成の一例を示す図である。
【図１０】本発明の一実施形態に係るユーザ端末の全体構成の一例を示す図である。
【図１１】本発明の一実施形態に係るユーザ端末の機能構成の一例を示す図である。
【発明を実施するための形態】
【００１１】
図１は、ＨｅｔＮｅｔの概念説明図である。ＨｅｔＮｅｔは、マクロセルを形成する無線基地局（以下、マクロ基地局（ＭｅＮＢ）ともいう）と、スモールセルを形成する無線基地局（以下、スモール基地局（ＳｅＮＢ）ともいう）と、これらの無線基地局と通信可能なユーザ端末と、を含んで構成される。図１に示すように、ＨｅｔＮｅｔでは、スモールセルの少なくとも一部が、マクロセルに地理的に重複して配置される。
【００１２】
ＨｅｔＮｅｔの運用形態として、キャリアアグリゲーション（ＣＡ：Carrier  Aggregation）、デュアルコネクティビティ（ＤＣ：Dual  Connectivity）などの複数のシナリオが想定される。ＣＡは、複数の周波数ブロック（コンポーネントキャリア（ＣＣ：Component  Carrier）、キャリア、セルなどともいう）を統合して広帯域化する技術である。各ＣＣは、例えば、最大２０ＭＨｚの帯域幅を有し、最大５つのＣＣを統合する場合には、最大１００ＭＨｚの広帯域が実現される。
【００１３】
ＤＣは、複数のＣＣ（又はセル）を統合して広帯域化する点はＣＡと同様である。一方で、ＣＡでは、ＣＣ（又はセル）間がＩｄｅａｌ  ｂａｃｋｈａｕｌで接続され、遅延時間の非常に小さい協調制御が可能であることを前提としているのに対し、ＤＣでは、セル間が遅延時間の無視できないＮｏｎ−ｉｄｅａｌ  ｂａｃｋｈａｕｌで接続されるケースを想定している。
【００１４】
したがって、ＤＣでは、各セルが別々の無線基地局で運用され、ユーザ端末は異なる無線基地局で運用される異なる周波数のセル（又はＣＣ）に接続して通信を行う。このため、ＤＣが適用される場合、複数のスケジューラが独立して設けられ、当該複数のスケジューラがそれぞれの管轄する１つ以上のセル（ＣＣ）のスケジューリングを制御する。このことから、ＤＣは基地局間ＣＡ（inter-eNB  CA）と呼ばれてもよい。なお、ＤＣにおいて、独立して設けられるスケジューラ（すなわち無線基地局）ごとにキャリアアグリゲーション（Intra-eNB  CA）を適用してもよい。
【００１５】
ＣＡ／ＤＣの運用形態では、例えば、マクロセルをプライマリセル（ＰＣｅｌｌ）とし、スモールセルをセカンダリセル（ＳＣｅｌｌ）として利用することができる。ここで、プライマリセル（ＰＣｅｌｌ）とは、ＣＡ／ＤＣを行う場合にＲＲＣ接続やハンドオーバを管理するセルであり、ユーザ端末からのデータ、フィードバック信号などのＵＬ伝送が必要となるセルである。プライマリセルは、上下リンクともに常に設定される。セカンダリセル（ＳＣｅｌｌ）とは、ＣＡ／ＤＣを適用する際にプライマリセルに加えて設定する他のセルである。セカンダリセルは、下りリンクだけ設定することもできるし、上下リンクを同時に設定することもできる。
【００１６】
将来の無線通信システム（ＬＴＥ  Ｒｅｌ．  １２以降）では、スモールセル検出（small  cell  discovery）に係る新たなメカニズムの導入が検討されている。具体的には、ユーザ端末は、スモールセルにより送信される検出測定信号を検出し、同期、測定などを実施する。なお、当該検出測定信号は、ディスカバリ参照信号（ＤＲＳ：Discovery  Reference  Signal）と呼ばれてもよい。
【００１７】
図２は、ＤＲＳの信号構成の説明図である。ＤＲＳは、所定の期間Ｎに送信される複数の信号の組み合わせから構成することができる。ＤＲＳは、ＤＬ（下り）サブフレーム、又はＴＤＤ（Time  Division  Duplex）の特別サブフレームにおけるＤｗＰＴＳ（Downlink  Pilot  Time  Slot）で送信される。所定の期間Ｎは、例えば、最大５ｍｓ（５サブフレーム）であるが、これに限られない。また、ＤＲＳは、所定の周期Ｍで送信される。所定の周期Ｍは、例えば、４０、８０、１６０ｍｓであるが、これらに限られない。Ｎ及びＭは、それぞれ、ＤＲＳ測定期間（又はＤＲＳ時間（DRS  occasion））及びＤＲＳ周期と呼ばれてもよい。
【００１８】
ＤＲＳは、既存システム（例えば、ＬＴＥ  Ｒｅｌ．  １１）における同期信号（ＰＳＳ（Primary  Synchronization  Signal）／ＳＳＳ（Secondary  Synchronization  Signal））とＣＲＳ（Cell-specific  Reference  Signal）との組み合わせ、又は既存システムにおける同期信号（ＰＳＳ／ＳＳＳ）とＣＲＳとＣＳＩ−ＲＳ（Channel  State  Information  Reference  Signal）との組み合わせなどで構成することができる。例えば、図２に示すＤＲＳの一例は、１番目のサブフレームにＰＳＳ／ＳＳＳ／ＣＲＳを、２番目のサブフレームにＣＲＳ／ＣＳＩ−ＲＳを、３−５番目のサブフレームにＣＲＳを含む。なお、ＤＲＳは、これらの構成に限られない。例えば、ＤＲＳは、新しい参照信号（既存の参照信号を変形したものを含む）を含んでもよい。
【００１９】
ユーザ端末は、ネットワーク（例えば、マクロ基地局）から、ＤＲＳを用いた測定（ＤＲＳベースメジャメント（DRS  based  measurement））を設定（configure）される。当該設定は、例えば、ＤＲＳ検出用のアシスト情報によって通知される。アシスト情報は、ＤＲＳ検出に必要な情報を含み、例えば、スモールセルとマクロセルとの同期状態、スモールセルの識別子（ＩＤ）リスト、ＤＲＳの送信周波数、送信タイミング（例えば、ＤＲＳ測定期間、ＤＲＳ周期）、送信電力、アンテナポート数、信号構成などを含んでもよい。なお、アシスト情報は、マクロ基地局から送信されてもよいし、スモール基地局から送信されてもよい。また、アシスト情報は、上位レイヤシグナリング（例えば、ＲＲＣシグナリング）で送信されてもよいし、報知情報で送信されてもよい。
【００２０】
ネットワークは、ユーザ端末に対して、周波数ごとにＤＭＴＣ（Discovery  Measurement  Timing  Configuration）を設定することができる。ＤＭＴＣは、ＤＲＳ周期と、ＰＣｅｌｌのタイミングを基準としたＤＲＳ測定タイミングのオフセットと、を少なくとも含む。つまり、ユーザ端末は、ネットワークから通知されるＤＭＴＣによって、ＤＲＳ測定期間のタイミングや周期を把握することができるが、ＤＲＳ測定期間内における各参照信号の実際の受信タイミングは、ＤＲＳ測定期間内のＰＳＳ／ＳＳＳを用いて検出する。
【００２１】
ここで、ＤＲＳに含まれるＰＳＳとＳＳＳは、スモールセル検出時のセルサーチの初期段階で使用される。具体的には、ＰＳＳは、シンボルタイミングの同期と、スモールセルのローカル識別子の検出と、に用いられる。また、ＳＳＳは、無線フレームの同期と、スモールセルのグループ識別子の検出に用いられる。また、ＰＳＳ及びＳＳＳによってスモールセルの物理セルＩＤ（ＰＣＩＤ：Physical  Cell  Identifier）の取得が可能となる。
【００２２】
ＤＲＳベースメジャメントを設定されたユーザ端末は、ＰＳＳ／ＳＳＳ／ＣＲＳがＤＲＳ測定期間内に含まれると想定（assume）してもよい。また、各セルのＤＲＳには、ＤＲＳ測定期間内にＰＳＳ／ＳＳＳがそれぞれ１シンボルずつ含まれると想定してもよい。また、ＤＲＳ測定期間内の全てのＤＬサブフレームにおいて、ＣＲＳが送信されると想定してもよい。
【００２３】
ユーザ端末は、ネットワークからさらにＣＳＩ−ＲＳメジャメントを設定された場合は、ＰＳＳ／ＳＳＳ／ＣＲＳに加えて、ＣＳＩ−ＲＳがＤＲＳ測定期間内に含まれると想定してもよい。設定されるＣＳＩ−ＲＳ構成は、例えば、信号電力測定用リソース（ＣＳＩ−ＲＳリソース）であってもよいし、干渉電力測定用リソース（ＣＳＩ−ＩＭ（Interference  Measurement）リソース）であってもよい。具体的には、ＣＳＩ−ＲＳリソースは、ノンゼロパワーＣＳＩ−ＲＳを示してもよいし、ＣＳＩ−ＩＭリソースは、ゼロパワーＣＳＩ−ＲＳを示してもよい。
【００２４】
ユーザ端末は、無線基地局からＣＳＩ−ＲＳ測定用の無線リソースを示すＣＳＩ−ＲＳ構成（CSI-RS  configuration）を通知されてもよい。また、ＣＳＩ−ＲＳのマッピング構成（CSI-RS  RE  configuration）が通知されてもよい。また、ＣＳＩ−ＲＳ構成ごとに、相対サブフレームオフセットが異なる構成としてもよい。ここで、相対サブフレームオフセットとは、ＳＳＳが送信されるサブフレームとＣＳＩ−ＲＳが送信されるサブフレームとの間のオフセットである。なお、ＤＲＳ測定期間内においては、１セルにつき１サブフレームでＣＳＩ−ＲＳが送信されるものとするが、これに限られない。例えば、所定のＣＳＩ−ＲＳ構成においては、ＤＲＳ測定期間内の複数のサブフレームでＣＳＩ−ＲＳが送信されてもよい。
【００２５】
ユーザ端末は、ＣＲＳ及び／又はＣＳＩ−ＲＳの測定により、ＲＳＲＰ（Reference  Signal  Received  Power）、ＲＳＲＱ（Reference  Signal  Received  Quality）、ＲＳＳＩ（Received  Signal  Strength  Indicator）などを測定する。ユーザ端末は、測定結果を、測定したセルの物理セルＩＤ及び／又はＴＰ特定（TP  identification）情報とともに無線基地局（例えば、マクロ基地局）に報告する。ＴＰ特定情報は、ＴＰごとに異なる情報であり、例えば、ＣＳＩ−ＲＳのリソースエレメント構成（RE  configuration）、スクランブルＩＤ（scrambling  ID）、サブフレームオフセット（subframe  offset）、カバーコード（cover  code）及びこれらの組み合わせを用いることができる。このように、ＤＲＳを用いることで、ユーザ端末は各送信ポイント（例えば、各スモールセル）を認識して、測定結果をフィードバックすることができる。
【００２６】
ＤＲＳにチャネル状態測定信号（例えば、ＣＳＩ−ＲＳ）が含まれる場合、ユーザ端末は、ＤＲＳ測定期間に含まれる所定の同期タイミング（ＰＳＳ／ＳＳＳのタイミング）に基づいて、チャネル状態測定信号を検出し、測定する。ＣＳＩ−ＲＳの測定を用いるユースケースでは、複数の送信ポイント（ＴＰ：Transmission  Point）（例えば、無線基地局、セルなど）が同期しており、各送信ポイントは、互いに直交するＣＳＩ−ＲＳリソースを用いることが想定される。なお、「複数のＴＰが同期する」とは、複数のＴＰによって送信された信号が、完全に同期して受信されることを表してもよいし、サイクリックプレフィックス長以下のずれを有して受信されることを表してもよい。
【００２７】
図３は、直交するＣＳＩ−ＲＳリソース割り当ての一例を示す図である。図３では、同期している複数のセル（セル＃１−＃３）でＣＳＩ−ＲＳが割り当てられる送信信号の無線リソースと、ユーザ端末における受信信号の無線リソースが示されている。図３の例では、あるセル（ＴＰ）がＣＳＩ−ＲＳを送信するリソースにおいて、周辺の他セル（ＴＰ）は当該リソースでの信号送信を行わない（ｍｕｔｉｎｇ）ことにより、直交化が行われている。この場合、ユーザ端末は、同期している各セル（ＴＰ）が送信するＣＳＩ−ＲＳを、単一のＦＦＴタイミングで受信し検出することができる。
【００２８】
しかしながら、複数のスモールセルからのＤＲＳを受信したユーザ端末は、複数の同期タイミング（ＰＳＳ／ＳＳＳタイミング）を検出する場合がある。例えば、各送信ポイントが同期していない場合である。この場合、検出した全てのタイミングについてＣＳＩ−ＲＳ測定を試行する（例えば、ＦＦＴ（Fast  Fourier  Transform）のタイミングを切り替えながら測定を繰り返し行う）と、ユーザ端末の負荷が大きくなってしまい、ユーザ端末のバッテリー消費が増加するおそれがある。
【００２９】
そこで、本発明者らは、ＤＲＳを用いてセル（例えば、スモールセル）を検出する無線通信システムにおいて、ユーザ端末が複数のＰＳＳ／ＳＳＳタイミングを検出した場合に、ＣＳＩ−ＲＳ検出用（測定用）に用いるＰＳＳ／ＳＳＳタイミングを適切に決定することを着想した。これにより、ＤＲＳを用いてスモールセルを検出する無線通信システムにおいて、ユーザ端末がＤＲＳ測定期間内に複数の同期タイミングを検出する場合であっても、ユーザ端末における測定負荷の増大を抑制することができるため、ユーザ端末のバッテリー消費増加を抑制することが可能となる。
【００３０】
以下、本発明の実施形態について添付図面を参照して詳細に説明する。なお、以下の説明では、マクロ基地局が形成するマクロセル内にスモール基地局が形成するスモールセルが配置されるＨｅｔＮｅｔの運用形態において、ＤＲＳを用いてスモールセルを検出する場合を例に挙げて説明するが、実施形態はこれに限られない。
【００３１】
第１の実施形態では、ユーザ端末は、検出したＰＳＳ／ＳＳＳのうち、最も強い（例えば、最も受信電力が大きい、最も受信品質が高い、など）ＰＳＳ／ＳＳＳタイミングを用いて、ＤＲＳ測定期間内のＣＳＩ−ＲＳを検出する。この構成によれば、ユーザ端末は、従来の装置構成から大きく変更することなく複数のＰＳＳ／ＳＳＳタイミングから１つのタイミングを決定することができるため、ユーザ端末の実装コストの増大を抑制しつつ、ＣＳＩ−ＲＳの検出を実施することが可能となる。第１の実施形態は、全てのセル（ＴＰ）が同期している場合に好適である。
【００３２】
第２の実施形態では、ネットワークから、ＣＳＩ−ＲＳ検出用のタイミングに用いることができるＰＳＳ／ＳＳＳの識別子（例えば、ＰＣＩＤ）をユーザ端末に通知する。この構成によれば、ＣＳＩ−ＲＳを送信する同期セル（ＴＰ）群（クラスタ）のＰＳＳ／ＳＳＳタイミングと異なるタイミングでＰＳＳ／ＳＳＳを送信するセルが同じ周波数に存在していても、上記識別子により区別することができる。
【００３３】
第２の実施形態の上記通知には、「同期セット」を用いることができる。ここで、同期セットとは、ＤＲＳに含まれるＣＳＩ−ＲＳ検出用タイミングの基準として利用可能なＰＳＳ／ＳＳＳに関する情報である。例えば、ＰＳＳ／ＳＳＳに関する情報は、同じ受信ＦＦＴタイミングを適用できるＰＳＳ／ＳＳＳについてのＰＣＩＤ群（ＰＣＩＤセット）を含んでもよい。
【００３４】
また、同期セットは、ＰＣＩＤ群に加えて、ＰＣＩＤ群が示すＰＳＳ／ＳＳＳに基づいて検出する特定のＣＳＩ−ＲＳを示す情報を含んでもよい。例えば、特定のＣＳＩ−ＲＳを示す情報は、ＣＳＩ−ＲＳ  ｃｏｎｆｉｇｕｒａｔｉｏｎ  ＩＤ群であってもよい。ＣＳＩ−ＲＳ  ｃｏｎｆｉｇｕｒａｔｉｏｎ  ＩＤはＣＳＩ−ＲＳの構成情報の中で通知されてもよい。また、ＣＳＩ−ＲＳの構成情報が通知されない場合、ユーザ端末は、ＣＳＩ−ＲＳに係るパラメータ（例えば、リソースエレメント構成、サブフレームオフセット、カバーコード、スクランブルＩＤのいずれかやそれらの組み合わせ）について、ＣＳＩ−ＲＳ  ｃｏｎｆｉｇｕｒａｔｉｏｎ  ＩＤとの対応関係を、既知の事前情報に基づいて認識してもよい。ここで、当該事前情報は、無線基地局からユーザ端末に上位レイヤシグナリング（例えば、ＲＲＣシグナリング）や、報知情報で通知されてもよい。
【００３５】
なお、同期セットは、適用する周波数（例えば、スモールセルのキャリア周波数）に関する情報を含んでもよい。あるいは各周波数に対する測定構成情報（MeasObjectEUTRA）の中に同期セットを含んでもよい。これらの場合、周波数ごとに同期セットが異なる構成とすることができる。なお、同期セットに含まれる各ＩＤ群は、１つ以上のＩＤから構成される。
【００３６】
同期セットは、ユーザ端末に対して複数設定してもよい。例えば、ＣＳＩ−ＲＳを用いている複数のクラスタに対して別々のＦＦＴタイミングを用いる必要がある場合には、複数の同期セットを設定することが好ましい。
【００３７】
１つの同期セットに、ＰＣＩＤ群（ＰＣＩＤセット）及びＣＳＩ−ＲＳ  ｃｏｎｆｉｇｕｒａｔｉｏｎ  ＩＤ群を含む場合、ユーザ端末は、当該ＰＣＩＤ群に関するＰＳＳ／ＳＳＳタイミングのいずれも、ＣＳＩ−ＲＳ  ｃｏｎｆｉｇｕｒａｔｉｏｎ  ＩＤ群が示す各ＣＳＩ−ＲＳの検出用タイミングとして共通に用いることができる。
【００３８】
図４は、第２の実施形態に係る同期セットの一例を示す図である。図４Ａは、ユーザ端末に設定される複数の同期セット（同期セット＃０、＃１、…）を示す。同期セット＃０は、ＰＣＩＤとして＃Ｘを含む複数のＰＣＩＤを表し、ＣＳＩ−ＲＳ  ｃｏｎｆｉｇｕｒａｔｉｏｎ  ＩＤとして＃Ｙを含む複数のＩＤを表す。同期セット＃１は、ＰＣＩＤとして＃Ｚを含む複数のＰＣＩＤを表し、ＣＳＩ−ＲＳ  ｃｏｎｆｉｇｕｒａｔｉｏｎ  ＩＤとして＃Ｗを含む複数のＩＤを表す。この場合、例えば＃Ｙが示すＣＳＩ−ＲＳは、＃Ｘが示すＰＳＳ／ＳＳＳタイミングを用いて検出することができ、＃Ｗが示すＣＳＩ−ＲＳは、＃Ｚが示すＰＳＳ／ＳＳＳタイミングを用いて検出することができる。
【００３９】
また、１つの同期セットに、ＰＣＩＤ群（ＰＣＩＤセット）のみを含む場合、ユーザ端末は、当該ＰＣＩＤ群に関するＰＳＳ／ＳＳＳタイミングのいずれも、全てのＣＳＩ−ＲＳ検出用タイミングとして共通に用いることができる。例えば、所定の周波数において、全てのセルが同期している場合には、同期セットにＰＣＩＤ群のみを含めることで、同期セットにＣＳＩ−ＲＳ  ｃｏｎｆｉｇｕｒａｔｉｏｎ  ＩＤ群を含める場合に比べてシグナリング量を低減することができる。
【００４０】
図４Ｂは、ユーザ端末に設定される１つの同期セット（同期セット＃０）を示す。同期セット＃０は、ＰＣＩＤとして＃Ｘを含む複数のＰＣＩＤを表す。この場合、例えば＃Ｘが示すＰＳＳ／ＳＳＳタイミングを用いてＣＳＩ−ＲＳを検出することができる。
【００４１】
また、ユーザ端末は、ＣＳＩ−ＲＳ測定が設定されているにも関わらず同期セットを受信しない場合には、所定の周波数内の全てのセル（ＴＰ）が同期していると想定することができる。この場合、検出したＰＳＳ／ＳＳＳタイミングのいずれも、全てのＣＳＩ−ＲＳ検出用タイミングとして共通に用いることができる。この場合、同期セットを通知する必要がないため、シグナリング量を大きく低減することができる。
【００４２】
以上のように、第２の実施形態によれば、通知を工夫することでシグナリング量の増大を抑制しつつ、複数の同期クラスタが存在するようなシナリオもサポートすることができるため、運用の柔軟性を向上させることが可能となる。
【００４３】
なお、同期セットがマクロセルからユーザ端末に通知される場合、マクロセルと重複する全スモールセルに関する同期セットが通知されることが好ましい。ただし、これに限られない。例えば、ユーザ端末の地理的位置によって、ユーザ端末に近い一部のスモールセルに関する同期セットが通知されてもよい。
【００４４】
なお、同期セットには、ＰＣＩＤ群の代わりにスモールセルを特定できる別の情報が含まれてもよい。また、同期セットには、ＣＳＩ−ＲＳ  ｃｏｎｆｉｇｕｒａｔｉｏｎ  ＩＤ群の代わりにＣＳＩ−ＲＳが割り当てられる無線リソースに関する別の情報が含まれてもよい。
【００４５】
以下、ＤＲＳを用いる無線通信システムで想定される具体的な複数のシナリオについて、各実施形態を適用した場合の説明を行う。
【００４６】
シナリオ＃１は、周波数内の全セル（ＴＰ）が同期している環境である。第１の実施形態は、シナリオ＃１をサポート可能である。また、第２の実施形態では、ユーザ端末は、通知されることなく全てのセル（ＴＰ）が同期していると想定できるため、他のシナリオに比べてシグナリング量を大きく低減することができる。
【００４７】
シナリオ＃２は、周波数内でＣＳＩ−ＲＳを送信するセル（ＴＰ）は全て同期し、それ以外のタイミングで動作するセルも存在する環境である。具体的には、ＣＳＩ−ＲＳを送信しているセル（ＴＰ）がクラスタ内で同期し、クラスタ間でも同期する環境である。ここで、スモールセルクラスタ（Small  cell  cluster）とは、同期している１つ以上のスモールセル群のことをいう。
【００４８】
図５は、シナリオ＃２の一例を示す図である。図５Ａは、シナリオ＃２のセルの構成を示す図である。図５Ａが示すように、ユーザ端末は、マクロセルとの間で制御信号を送受信する。また、ユーザ端末は、各スモールセルからＤＲＳを受信する。スモールセルクラスタ＃１及び＃２はＤＲＳ測定期間にＣＳＩ−ＲＳを送信するセル群であり、これらのクラスタ内及びクラスタ間で全てのスモールセルが同期している。一方、スモールセル＃１及び＃２は、それぞれＤＲＳ測定期間にＣＳＩ−ＲＳを送信しないセルであり、スモールセルクラスタ＃１及び＃２のいずれとも同期していない。図５Ｂは、シナリオ＃２のＤＲＳ測定期間における各セルのＰＳＳ／ＳＳＳを示している。同期しているスモールセルクラスタ＃１及び＃２は、クラスタ内及びクラスタ間で同じＰＳＳ／ＳＳＳタイミングとなっている。
【００４９】
シナリオ＃２では、スモールセルが利用する周波数において、１つのＣＳＩ−ＲＳ検出用タイミングが必要である。第１の実施形態では、ユーザ端末におけるスモールセルクラスタ＃１又は＃２のＰＳＳ／ＳＳＳの受信電力が、スモールセル＃１及び＃２のＰＳＳ／ＳＳＳの受信電力より大きい場合には、好適にＣＳＩ−ＲＳを検出することができる。また、第２の実施形態では、ＣＳＩ−ＲＳ検出用タイミングに用いることのできるＰＳＳ／ＳＳＳのＰＣＩＤ群として、スモールセルクラスタ＃１及び＃２に含まれる各スモールセルのＰＣＩＤ群をユーザ端末に通知することで、ユーザ端末は適切なＣＳＩ−ＲＳの検出タイミングを把握することができる。この場合、図４Ｂに示したように、同期セットとしてこれらのＰＣＩＤ群を含んで通知すればよく、ＣＳＩ−ＲＳ  ｃｏｎｆｉｇｕｒａｔｉｏｎ  ＩＤは含まなくてよい。
【００５０】
シナリオ＃３は、周波数内でＣＳＩ−ＲＳを送信するセル（ＴＰ）の一部（例えば、クラスタ間）が同期せず、他のタイミングで動作するセルも存在する環境である。具体的には、ＣＳＩ−ＲＳを送信しているセル（ＴＰ）がクラスタ内で同期するが、クラスタ間では同期しない環境である。
【００５１】
図６は、シナリオ＃３の一例を示す図である。図６Ａは、シナリオ＃３のセルの構成を示す図である。図６Ａは、スモールセルクラスタ＃１及び＃２がそれぞれのクラスタ内で同期するがクラスタ間で同期していない点を除いて、図５Ａと同じである。図６Ｂは、シナリオ＃３のＤＲＳ測定期間における各セルのＰＳＳ／ＳＳＳを示している。同期しているスモールセルクラスタ＃１及び＃２は、それぞれのクラスタ内で同じＰＳＳ／ＳＳＳタイミングであるが、クラスタ間では異なるＰＳＳ／ＳＳＳタイミングとなっている。
【００５２】
シナリオ＃３では、スモールセルが利用する周波数において、各クラスタにそれぞれ対応するＣＳＩ−ＲＳ検出用タイミングが必要である。第１の実施形態では、ユーザ端末におけるスモールセルクラスタ＃１（＃２）のＰＳＳ／ＳＳＳの受信電力が、スモールセル＃１及び＃２並びにスモールセルクラスタ＃２（＃１）のＰＳＳ／ＳＳＳの受信電力より大きい場合には、好適にスモールセルクラスタ＃１（＃２）のＣＳＩ−ＲＳを検出することができる。また、第２の実施形態では、同期しているＣＳＩ−ＲＳ群ごとに、ＰＳＳ／ＳＳＳのＰＣＩＤ群を関連付けてユーザ端末に通知することで、ユーザ端末は適切なＣＳＩ−ＲＳの検出タイミングを把握することができる。この場合、図４Ａに示したように、ある同期セットとしてスモールセルクラスタ＃１のＰＣＩＤ及びＣＳＩ−ＲＳ  ｃｏｎｆｉｇｕｒａｔｉｏｎ  ＩＤを含み、別の同期セットとしてスモールセルクラスタ＃２のＰＣＩＤ及びＣＳＩ−ＲＳ  ｃｏｎｆｉｇｕｒａｔｉｏｎ  ＩＤを含んで通知すればよい。
【００５３】
（無線通信システムの構成）
以下、本発明の一実施形態に係る無線通信システムの構成について説明する。この無線通信システムでは、上記第１及び／又は第２実施形態に係る無線通信方法が適用される。なお、上記の各実施形態に係る無線通信方法は、それぞれ単独で適用してもよいし、組み合わせて適用してもよい。
【００５４】
図７は、本発明の一実施形態に係る無線通信システムの概略構成の一例を示す図である。なお、図７に示す無線通信システムは、例えば、ＬＴＥシステム、ＳＵＰＥＲ  ３Ｇ、ＬＴＥ−Ａシステムなどが包含されるシステムである。この無線通信システムでは、ＬＴＥシステムのシステム帯域幅を１単位とする複数の基本周波数ブロック（コンポーネントキャリア）を一体としたキャリアアグリゲーション（ＣＡ）及び／又はデュアルコネクティビティ（ＤＣ）を適用することができる。なお、この無線通信システムは、ＩＭＴ−Ａｄｖａｎｃｅｄと呼ばれても良いし、４Ｇ、ＦＲＡ（Future  Radio  Access）などと呼ばれても良い。
【００５５】
図７に示す無線通信システム１は、マクロセルＣ１を形成する無線基地局（マクロ基地局）１１と、マクロセルＣ１内に配置され、マクロセルＣ１よりも狭いスモールセルＣ２を形成する無線基地局（スモール基地局）１２ａ−１２ｃとを備えている。また、マクロセルＣ１及び各スモールセルＣ２には、ユーザ端末２０が配置されている。
【００５６】
ユーザ端末２０は、無線基地局１１及び無線基地局１２の双方に接続することができる。ユーザ端末２０は、異なる周波数を用いるマクロセルＣ１とスモールセルＣ２を、ＣＡ又はＤＣにより同時に使用することが想定される。例えば、無線基地局１１からユーザ端末２０に対して、無線基地局１２のＤＲＳ検出に関するアシスト情報（例えば、スモールセルの識別子（ＩＤ）リスト）を送信することができる。また、ＣＡを行う場合、１つの無線基地局（例えば、無線基地局１１）がマクロセル及びスモールセルのスケジュールを制御する構成とすることも可能である。
【００５７】
なお、ユーザ端末２０は、無線基地局１１に接続せず、無線基地局１２に接続する構成としてもよい。例えば、無線基地局１２がユーザ端末２０とスタンドアローンで接続する構成としてもよい。この場合、無線基地局１２がスモールセルのスケジュールを制御する。
【００５８】
マクロセルでは、相対的に低い周波数帯域（例えば、２ＧＨｚ）で帯域幅が狭いキャリア（既存キャリア、Legacy  carrierなどと呼ばれる）を用いて通信を行うことができる。一方、スモールセルでは、相対的に高い周波数帯域（例えば、３．５ＧＨｚ、５ＧＨｚなど）で帯域幅が広いキャリアが用いられてもよいし、マクロセルと同じキャリアが用いられてもよい。無線基地局１１と無線基地局１２との間（又は、２つの無線基地局１２間）は、有線接続（光ファイバ、Ｘ２インターフェースなど）又は無線接続する構成とすることができる。
【００５９】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【００６０】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。各ユーザ端末２０は、ＬＴＥ、ＬＴＥ−Ａなどの各種通信方式に対応した端末であり、移動通信端末だけでなく固定通信端末を含んでよい。
【００６１】
無線通信システムにおいては、無線アクセス方式として、下りリンクについてはＯＦＤＭＡ（直交周波数分割多元接続）が適用され、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限られない。
【００６２】
無線通信システム１では、下りリンクのチャネルとして、各ユーザ端末２０で共有される下り共有チャネル（ＰＤＳＣＨ：Physical  Downlink  Shared  Channel）、報知チャネル（ＰＢＣＨ：Physical  Broadcast  Channel）、下りＬ１／Ｌ２制御チャネルなどが用いられる。ＰＤＳＣＨにより、ユーザデータや上位レイヤ制御情報、所定のＳＩＢ（System  Information  Block）が伝送される。また、ＰＢＣＨにより、同期信号や、ＭＩＢ（Master  Information  Block）などが伝送される。
【００６３】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＰＨＩＣＨにより、ＰＵＳＣＨに対するＨＡＲＱの送達確認信号（ＡＣＫ／ＮＡＣＫ）が伝送される。ＥＰＤＣＣＨは、ＰＤＳＣＨ（下り共有データチャネル）と周波数分割多重され、ＰＤＣＣＨと同様にＤＣＩなどを伝送するために用いられてもよい。
【００６４】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータや上位レイヤ制御情報が伝送される。また、ＰＵＣＣＨにより、下りリンクの無線品質情報（ＣＱＩ：Channel  Quality  Indicator）、送達確認信号などが伝送される。ＰＲＡＣＨにより、セルとの接続確立のためのランダムアクセスプリアンブル（ＲＡプリアンブル）が伝送される。
【００６５】
図８は、本実施形態に係る無線基地局１０の全体構成の一例を示す図である。無線基地局１０は、ＭＩＭＯ伝送のための複数の送受信アンテナ１０１と、アンプ部１０２と、送受信部１０３と、ベースバンド信号処理部１０４と、呼処理部１０５と、伝送路インターフェース１０６とを備えている。なお、送受信部１０３は、送信部及び受信部から構成されてもよい。
【００６６】
下りリンクにより無線基地局１０からユーザ端末２０に送信されるユーザデータは、上位局装置３０から伝送路インターフェース１０６を介してベースバンド信号処理部１０４に入力される。
【００６７】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱ（Hybrid  Automatic  Repeat  reQuest）の送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて各送受信部１０３に転送される。また、下り制御信号に関しても、チャネル符号化や逆高速フーリエ変換などの送信処理が行われて、各送受信部１０３に転送される。
【００６８】
また、ベースバンド信号処理部１０４は、上位レイヤシグナリング（例えば、ＲＲＣシグナリング、報知情報など）により、ユーザ端末２０に対して、無線基地局１０が形成するセルにおける通信のための制御情報（システム情報）を通知する。当該セルにおける通信のための情報には、例えば、上りリンクにおけるシステム帯域幅、下りリンクにおけるシステム帯域幅などが含まれる。
【００６９】
各送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。送受信部１０３は、本発明に係る技術分野での共通認識に基づいて説明されるトランスミッター／レシーバー、送受信回路又は送受信装置とすることができる。
【００７０】
一方、上り信号については、各送受信アンテナ１０１で受信された無線周波数信号がそれぞれアンプ部１０２で増幅される。各送受信部１０３はアンプ部１０２で増幅された上り信号を受信する。送受信部１０３は、受信信号をベースバンド信号に周波数変換して、ベースバンド信号処理部１０４に出力する。また、送受信部１０３はユーザ端末２０からのＰＵＳＣＨ送信に関する所定の情報を含む信号を受信し、ベースバンド信号処理部１０４に出力する。
【００７１】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ、ＰＤＣＰレイヤの受信処理がなされ、伝送路インターフェース１０６を介して上位局装置３０に転送される。呼処理部１０５は、通信チャネルの設定や解放などの呼処理や、無線基地局１０の状態管理や、無線リソースの管理を行う。
【００７２】
伝送路インターフェース１０６は、所定のインターフェースを介して、上位局装置３０と信号を送受信する。また、伝送路インターフェース１０６は、基地局間インターフェース（例えば、光ファイバ、Ｘ２インターフェース）を介して隣接無線基地局１０と信号を送受信（バックホールシグナリング）してもよい。例えば、伝送路インターフェース１０６は、隣接無線基地局１０との間で、ＤＲＳ検出に必要な情報（例えば、ＤＲＳ測定期間、ＤＲＳ周期）などを送受信してもよい。
【００７３】
図９は、本実施形態に係る無線基地局１０の機能構成の一例を示す図である。なお、図９では、本実施形態における特徴部分の機能ブロックを主に示しており、無線基地局１０は、無線通信に必要な他の機能ブロックも有しているものとする。
【００７４】
図９に示すように、無線基地局１０が有するベースバンド信号処理部１０４は、制御部（スケジューラ）３０１と、送信信号生成部３０２と、マッピング部３０３と、受信処理部３０４と、を有している。
【００７５】
制御部（スケジューラ）３０１は、ＰＤＳＣＨで送信される下りデータ信号、ＰＤＣＣＨ及び／又は拡張ＰＤＣＣＨ（ＥＰＤＣＣＨ）で伝送される下り制御信号のスケジューリング（例えば、リソース割り当て）を制御する。また、システム情報、同期信号、ＣＲＳ（Cell-specific  Reference  Signal）、ＣＳＩ−ＲＳ（Channel  State  Information  Reference  Signal）などの下り参照信号などのスケジューリングの制御も行う。また、上り参照信号、ＰＵＳＣＨで送信される上りデータ信号、ＰＵＣＣＨ及び／又はＰＵＳＣＨで送信される上り制御信号、ＰＲＡＣＨで送信されるＲＡプリアンブルなどのスケジューリングを制御する。制御部３０１は、本発明に係る技術分野での共通認識に基づいて説明されるコントローラ、制御回路又は制御装置とすることができる。
【００７６】
無線基地局１１（マクロ基地局）における制御部３０１は、ユーザ端末２０に、ＤＲＳベースメジャメント（DRS  based  measurement）を設定（configure）するように制御する。この場合、ＤＲＳ検出用のアシスト情報を通知するように、送信信号生成部３０２及びマッピング部３０３を制御してもよい。
【００７７】
また、無線基地局１１（マクロ基地局）における制御部３０１は、伝送路インターフェース１０６を介して、マクロセルに含まれるスモールセルを形成する各無線基地局１２（スモール基地局）のＤＲＳベースメジャメントに関する情報を取得する。具体的には、各スモールセルの同期状態、セルＩＤ、ＣＳＩ−ＲＳ構成などを取得する。この場合、制御部３０１は、所定の周波数内でＣＳＩ−ＲＳを送信する各セルの同期状態に基づいて、同期セットを決定し、決定した同期セットを含む信号を生成してユーザ端末２０に通知するように、送信信号生成部３０２及びマッピング部３０３を制御する。
【００７８】
また、無線基地局１１（マクロ基地局）における制御部３０１は、ユーザ端末２０のＤＲＳ測定期間の測定結果に基づいて、ユーザ端末２０が接続するスモールセルを決定してもよい。この場合、制御部３０１は、伝送路インターフェース１０６を介して、無線基地局１２にユーザ端末２０と接続するように通知するとともに、送受信部１０３を介して、上記無線基地局１２とスモールセルで接続する旨をユーザ端末２０に通知するように、送信信号生成部３０２及びマッピング部３０３を制御する。
【００７９】
無線基地局１２（スモール基地局）における制御部３０１は、所定の周波数内でＤＲＳを送信するように送信信号生成部３０２及びマッピング部３０３を制御する。また、制御部３０１は、伝送路インターフェース１０６を介して、ＤＲＳベースメジャメントに関する情報をマクロ基地局や他のスモール基地局との間で送受信してもよい。
【００８０】
なお、無線基地局１１における制御部３０１は、無線基地局１２における制御部３０１の機能を有してもよい。また、無線基地局１２における制御部３０１は、無線基地局１１における制御部３０１の機能を有してもよい。
【００８１】
送信信号生成部３０２は、制御部３０１からの指示に基づいて、ＤＬ信号（下り制御信号、下りデータ信号、下り参照信号など）を生成して、マッピング部３０３に出力する。例えば、送信信号生成部３０２は、制御部３０１からの指示に基づいて、下り信号の割り当て情報を通知するＤＬアサインメント及び上り信号の割り当て情報を通知するＵＬグラントを生成する。また、下りデータ信号には、各ユーザ端末２０からのチャネル状態情報（ＣＳＩ）などに基づいて決定された符号化率、変調方式などに従って符号化処理、変調処理が行われる。送信信号生成部３０２は、本発明に係る技術分野での共通認識に基づいて説明される信号生成器又は信号生成回路とすることができる。
【００８２】
マッピング部３０３は、制御部３０１からの指示に基づいて、送信信号生成部３０２で生成された下り信号を無線リソースにマッピングして、送受信部１０３に出力する。マッピング部３０３は、本発明に係る技術分野での共通認識に基づいて説明されるマッピング回路又はマッパーとすることができる。
【００８３】
受信処理部３０４は、ユーザ端末から送信されるＵＬ信号（例えば、送達確認信号（ＨＡＲＱ−ＡＣＫ）、ＰＵＳＣＨで送信されたデータ信号など）に対して、受信処理（例えば、デマッピング、復調、復号など）を行う。また、受信処理部３０４は、受信した信号を用いて受信電力（ＲＳＲＰ）やチャネル状態について測定してもよい。なお、処理結果や測定結果は、制御部３０１に出力されてもよい。受信処理部３０４は、本発明に係る技術分野での共通認識に基づいて説明される信号処理／測定器又は信号処理／測定回路とすることができる。
【００８４】
図１０は、本実施形態に係るユーザ端末の全体構成の一例を示す図である。ユーザ端末２０は、ＭＩＭＯ伝送のための複数の送受信アンテナ２０１と、アンプ部２０２と、送受信部２０３と、ベースバンド信号処理部２０４と、アプリケーション部２０５と、を備えている。なお、送受信部２０３は、送信部及び受信部から構成されてもよい。
【００８５】
複数の送受信アンテナ２０１で受信された無線周波数信号は、それぞれアンプ部２０２で増幅される。各送受信部２０３はアンプ部２０２で増幅された下り信号を受信する。送受信部２０３は、受信信号をベースバンド信号に周波数変換して、ベースバンド信号処理部２０４に出力する。
【００８６】
送受信部２０３は、スモールセルでＵＬ及び／又はＤＬ信号の送受信が可能である。例えば、送受信部２０３は、スモールセルでＤＲＳ（検出測定用信号）を受信し、ベースバンド信号処理部２０４に出力する。なお、送受信部２０３は、マクロセルでＵＬ／ＤＬ信号の送受信が可能であってもよい。例えば、送受信部２０３は、マクロセルで同期セットを受信し、ベースバンド信号処理部２０４に出力してもよい。送受信部２０３は、本発明に係る技術分野での共通認識に基づいて説明されるトランスミッター／レシーバー、送受信回路又は送受信装置とすることができる。
【００８７】
ベースバンド信号処理部２０４は、入力されたベースバンド信号に対して、ＦＦＴ処理や、誤り訂正復号、再送制御の受信処理などを行う。下りリンクのユーザデータは、アプリケーション部２０５に転送される。アプリケーション部２０５は、物理レイヤやＭＡＣレイヤより上位のレイヤに関する処理などを行う。また、下りリンクのデータのうち、報知情報もアプリケーション部２０５に転送される。
【００８８】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）や、チャネル符号化、プリコーディング、離散フーリエ変換（ＤＦＴ：Discrete  Fourier  Transform）処理、ＩＦＦＴ処理などが行われて各送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【００８９】
図１１は、本実施形態に係るユーザ端末の機能構成の一例を示す図である。なお、図１１においては、本実施形態における特徴部分の機能ブロックを主に示しており、ユーザ端末２０は、無線通信に必要な他の機能ブロックも有しているものとする。
【００９０】
図１１に示すように、ユーザ端末２０が有するベースバンド信号処理部２０４は、制御部４０１と、送信信号生成部４０２と、マッピング部４０３と、受信処理部４０４と、を有している。
【００９１】
制御部４０１は、無線基地局１０から送信された下り制御信号（ＰＤＣＣＨ／ＥＰＤＣＣＨで送信された信号）及び下りデータ信号（ＰＤＳＣＨで送信された信号）を、受信処理部４０４から取得する。制御部４０１は、下り制御信号や、下りデータ信号に対する再送制御の要否を判定した結果などに基づいて、上り制御信号（例えば、送達確認信号（ＨＡＲＱ−ＡＣＫ）など）や上りデータ信号の生成を制御する。具体的には、制御部４０１は、送信信号生成部４０２及びマッピング部４０３の制御を行う。制御部４０１は、本発明に係る技術分野での共通認識に基づいて説明されるコントローラ、制御回路又は制御装置とすることができる。
【００９２】
また、制御部４０１は、受信処理部４０４から入力されるＤＲＳベースメジャメントの設定に関する情報に基づいて、受信処理部４０４における、スモール基地局（例えば、無線基地局１２）から送信されるＤＲＳの検出を制御する。例えば、制御部４０１は、ＤＭＴＣ（Discovery  Measurement  Timing  Configuration）に基づいて、適切なＤＲＳ測定期間やＤＲＳ周期でＤＲＳの受信処理を行うよう、受信処理部４０４を制御する。
【００９３】
制御部４０１は、ＤＲＳに含まれるＰＳＳ／ＳＳＳのいずれかを、ＣＳＩ−ＲＳ検出用のタイミングの基準として用いるために選択する。例えば、制御部４０１は、ＤＲＳに含まれる最も強い（例えば、最もＲＳＲＰの大きい、最もＲＳＲＱの大きい、など）ＰＳＳ／ＳＳＳを選択し、当該ＰＳＳ／ＳＳＳが示すタイミングをＣＳＩ−ＲＳの検出用に用いるように制御してもよい（第１の実施形態）。
【００９４】
また、制御部４０１は、無線基地局１０から通知されるＣＳＩ−ＲＳ検出用のタイミングに用いることができるＰＳＳ／ＳＳＳのＩＤ又はＩＤ群に対応するＰＳＳ／ＳＳＳを選択し、当該ＰＳＳ／ＳＳＳが示すタイミングをＣＳＩ−ＲＳの検出用に用いるように制御してもよい（第２の実施形態）。例えば、送受信部２０３から受信処理部４０４を介して入力された同期セットがＰＣＩＤ群及びＣＳＩ−ＲＳ  ｃｏｎｆｉｇｕｒａｔｉｏｎ  ＩＤ群を含む場合、制御部４０１は、ユーザ端末は、当該ＰＣＩＤ群に関するＰＳＳ／ＳＳＳタイミングのいずれも、ＣＳＩ−ＲＳ  ｃｏｎｆｉｇｕｒａｔｉｏｎ  ＩＤ群が示す各ＣＳＩ−ＲＳの検出用タイミングとして共通に用いることができる。
【００９５】
制御部４０１は、選択した同期信号（例えば、ＰＳＳ／ＳＳＳ）が示すタイミングに基づいて、受信処理部４０４に、ＤＲＳに含まれるチャネル状態測定信号（例えば、ＣＳＩ−ＲＳ）の測定を指示する。
【００９６】
また、制御部４０１は、受信処理部４０４から入力されたＣＲＳ及びＣＳＩ−ＲＳの測定結果（例えば、ＲＳＲＰ、ＲＳＲＱ、ＲＳＳＩ）を、測定したセルの物理セルＩＤ及びＴＰ特定（TP  identification）情報とともに無線基地局１０に報告するように、送信信号生成部４０２及びマッピング部４０３の制御を行う。
【００９７】
送信信号生成部４０２は、制御部４０１からの指示に基づいて、ＵＬ信号（上り制御信号、上りデータ信号、上り参照信号など）を生成して、マッピング部４０３に出力する。例えば、送信信号生成部４０２は、制御部４０１からの指示に基づいて、送達確認信号（ＨＡＲＱ−ＡＣＫ）やチャネル状態情報（ＣＳＩ）などの上り制御信号を生成する。また、送信信号生成部４０２は、制御部４０１からの指示に基づいて上りデータ信号を生成する。例えば、制御部４０１は、無線基地局１０から通知される下り制御信号にＵＬグラントが含まれている場合に、送信信号生成部４０２に上りデータ信号の生成を指示する。送信信号生成部４０２は、本発明に係る技術分野での共通認識に基づいて説明される信号生成器又は信号生成回路とすることができる。
【００９８】
マッピング部４０３は、制御部４０１からの指示に基づいて、送信信号生成部４０２で生成された上り信号を無線リソースにマッピングして、送受信部２０３へ出力する。マッピング部４０３は、本発明に係る技術分野での共通認識に基づいて説明されるマッピング回路又はマッパーとすることができる。
【００９９】
受信処理部４０４は、ＤＬ信号（例えば、無線基地局から送信された下り制御信号、ＰＤＳＣＨで送信された下りデータ信号など）に対して、受信処理（例えば、デマッピング、復調、復号など）を行う。受信処理部４０４は、無線基地局１０からＤＲＳベースメジャメントの設定に関する情報などを受信した場合、制御部４０１に出力する。また、受信処理部４０４は、受信した信号を用いて受信電力（ＲＳＲＰ）やチャネル状態について測定する。具体的には、受信処理部４０４は、制御部４０１からの指示に基づいて、ＤＲＳに含まれるＣＲＳやＣＳＩ−ＲＳの検出、測定などを行う。なお、処理結果や測定結果は、制御部４０１に出力されてもよい。受信処理部４０４は、本発明に係る技術分野での共通認識に基づいて説明される信号処理／測定器又は信号処理／測定回路とすることができる。
【０１００】
また、受信処理部４０４は、無線基地局１０（例えば、無線基地局１１）からの信号に含まれる、ＤＲＳベースメジャメント（DRS  based  measurement）の設定（configure）に関する情報の受信処理を行う。受信処理部４０４は、受信信号に含まれるＤＭＴＣ（Discovery  Measurement  Timing  Configuration）など、ＤＲＳ検出用のアシスト情報を、制御部４０１に出力する。
【０１０１】
なお、上記実施形態の説明に用いたブロック図は、機能単位のブロックを示している。これらの機能ブロック（構成部）は、ハードウェア及びソフトウェアの任意の組み合わせによって実現される。また、各機能ブロックの実現手段は特に限定されない。すなわち、各機能ブロックは、物理的に結合した１つの装置により実現されてもよいし、物理的に分離した２つ以上の装置を有線又は無線で接続し、これら複数の装置により実現されてもよい。
【０１０２】
例えば、無線基地局１０やユーザ端末２０の各機能の一部又は全ては、ＡＳＩＣ（Application  Specific  Integrated  Circuit）、ＰＬＤ（Programmable  Logic  Device）、ＦＰＧＡ（Field  Programmable  Gate  Array）などのハードウェアを用いて実現されても良い。また、無線基地局１０やユーザ端末２０は、プロセッサ（ＣＰＵ）と、ネットワーク接続用の通信インターフェースと、メモリと、プログラムを保持したコンピュータ読み取り可能な記憶媒体と、を含むコンピュータ装置によって実現されてもよい。
【０１０３】
ここで、プロセッサやメモリなどは情報を通信するためのバスで接続される。また、コンピュータ読み取り可能な記録媒体は、例えば、フレキシブルディスク、光磁気ディスク、ＲＯＭ、ＥＰＲＯＭ、ＣＤ−ＲＯＭ、ＲＡＭ、ハードディスクなどの記憶媒体である。また、プログラムは、電気通信回線を介してネットワークから送信されても良い。また、無線基地局１０やユーザ端末２０は、入力キーなどの入力装置や、ディスプレイなどの出力装置を含んでいてもよい。
【０１０４】
無線基地局１０及びユーザ端末２０の機能構成は、上述のハードウェアによって実現されてもよいし、プロセッサによって実行されるソフトウェアモジュールによって実現されてもよいし、両者の組み合わせによって実現されてもよい。プロセッサは、オペレーティングシステムを動作させてユーザ端末の全体を制御する。また、プロセッサは、記憶媒体からプログラム、ソフトウェアモジュールやデータをメモリに読み出し、これらに従って各種の処理を実行する。ここで、当該プログラムは、上記の各実施形態で説明した各動作を、コンピュータに実行させるプログラムであれば良い。例えば、ユーザ端末２０の制御部４０１は、メモリに格納され、プロセッサで動作する制御プログラムによって実現されてもよく、他の機能ブロックについても同様に実現されてもよい。
【０１０５】
以上、本発明について詳細に説明したが、当業者にとっては、本発明が本明細書中に説明した実施形態に限定されるものではないということは明らかである。例えば、上述の各実施形態は単独で用いてもよいし、組み合わせて用いてもよい。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【０１０６】
１…無線通信システム
１０…無線基地局
１１…無線基地局（マクロ基地局）
１２、１２ａ、１２ｂ…無線基地局（スモール基地局）
２０…ユーザ端末
３０…上位局装置
４０…コアネットワーク
１０１…送受信アンテナ
１０２…アンプ部
１０３…送受信部
１０４…ベースバンド信号処理部
１０５…呼処理部
１０６…伝送路インターフェース
２０１…送受信アンテナ
２０２…アンプ部
２０３…送受信部
２０４…ベースバンド信号処理部
２０５…アプリケーション部
３０１、４０１…制御部
３０２、４０２…送信信号生成部
３０３、４０３…マッピング部
３０４、４０４…受信処理部
【図１】
2016039524.tif 000003
【図２】
2016039524.tif 000004
【図３】
2016039524.tif 000005
【図４】
2016039524.tif 000006
【図５】
2016039524.tif 000007
【図６】
2016039524.tif 000008
【図７】
2016039524.tif 000009
【図８】
2016039524.tif 000010
【図９】
2016039524.tif 000011
【図１０】
2016039524.tif 000012
【図１１】
2016039524.tif 000013
【手続補正書】
【提出日】平成27年8月5日(2015.8.5)
【手続補正１】
【補正対象書類名】特許請求の範囲
【補正対象項目名】全文
【補正方法】変更
【補正の内容】
【特許請求の範囲】
【請求項１】
同期信号及びチャネル状態測定信号を含む検出測定信号と、同期信号に関する第１の識別子を含む情報と、を受信する受信部と、
前記第１の識別子に対応する前記同期信号を検出し、当該同期信号に関連する前記チャネル状態測定信号を測定するように制御する制御部と、を有することを特徴とするユーザ端末。
【請求項２】
前記受信部は、前記第１の識別子と、特定のチャネル状態測定信号を示す第２の識別子と、の組を含む情報を受信し、
前記制御部は、前記第１の識別子に対応する前記同期信号を検出し、当該同期信号に関連し、かつ前記第２の識別子に対応する前記チャネル状態測定信号を測定するように制御することを特徴とする請求項１に記載のユーザ端末。
【請求項３】
前記受信部は、前記第１の識別子と、前記第２の識別子と、の組を含む情報を複数受信し、
前記制御部は、各組における前記チャネル状態測定信号を測定するように制御することを特徴とする請求項２に記載のユーザ端末。
【請求項４】
前記第２の識別子は、ＣＳＩ−ＲＳ（Channel  State  Information  Reference  Signal）  ｃｏｎｆｉｇｕｒａｔｉｏｎ  ＩＤであることを特徴とする請求項２又は請求項３に記載のユーザ端末。
【請求項５】
前記第１の識別子は、物理セルＩＤであることを特徴とする請求項１から請求項４のいずれかに記載のユーザ端末。
【請求項６】
同期信号及びチャネル状態測定信号を含む検出測定信号と、同期信号に関する第１の識別子を含む情報と、をユーザ端末に送信する送信部と、
前記チャネル状態測定信号の測定結果を受信する受信部と、を有し、
前記ユーザ端末において、前記第１の識別子に対応する同期信号に関連する前記チャネル状態測定信号が測定されることを特徴とする無線基地局。
【請求項７】
同期信号及びチャネル状態測定信号を含む検出測定信号と、同期信号に関する第１の識別子を含む情報と、を受信する工程と、
前記第１の識別子に対応する前記同期信号を検出し、当該同期信号に関連する前記チャネル状態測定信号を測定するように制御する工程と、を有することを特徴とする無線通信方法。
【請求項８】
セルを形成する無線基地局と、当該無線基地局と通信可能なユーザ端末と、を含む無線通信システムであって、
前記ユーザ端末は、同期信号及びチャネル状態測定信号を含む検出測定信号と、同期信号に関する第１の識別子を含む情報と、を受信する受信部と、
前記第１の識別子に対応する前記同期信号を検出し、当該同期信号に関連する前記チャネル状態測定信号を測定するように制御する制御部と、を有することを特徴とする無線通信システム。
【手続補正２】
【補正対象書類名】明細書
【補正対象項目名】０００８
【補正方法】変更
【補正の内容】
【０００８】
本発明の一態様に係るユーザ端末は、同期信号及びチャネル状態測定信号を含む検出測定信号と、同期信号に関する第１の識別子を含む情報と、を受信する受信部と、前記第１の識別子に対応する前記同期信号を検出し、当該同期信号に関連する前記チャネル状態測定信号を測定するように制御する制御部と、を有することを特徴とする。